(57)【要約】【課題】天然の化石粉末からなる水質浄化物質を使用して汚濁水を速やかに効率良く浄化することができる汚濁水浄化装置を得る。【解決手段】オーバーフロー式の越流口３０を通じて相互に接続された攪拌槽２と反応凝集槽３、上記攪拌槽２内に被処理水Ｗを送給するための送水装置１０、上記攪拌槽２内の被処理水Ｗに天然の化石粉末からなる水質浄化物質を添加するための添加装置１１、上記攪拌槽２内の被処理水Ｗを攪拌するための攪拌装置１２、上記反応凝集槽３から浄化された被処理水Ｗをオーバーフロー式に流出させるための排水口３４を有し、上記攪拌槽２の容積は、上記反応凝集槽３の容積の同等以下に形成され、上記反応凝集槽３の内部には、上記越流口３０からこの反応凝集槽３内に流入する被処理水Ｗの流速を緩和するための傾斜する流入ガイド３２が設けられる。【選択図】        図３
2004188295.tif 000002
【特許請求の範囲】
【請求項１】
オーバーフロー式の越流口を通じて相互に接続された攪拌槽と反応凝集槽、上記攪拌槽内に汚濁した被処理水を送給するための送水装置、上記攪拌槽内の被処理水に天然の化石粉末からなる水質浄化物質を添加するための添加装置、上記攪拌槽内の被処理水を攪拌するための攪拌装置、上記反応凝集槽から浄化された被処理水をオーバーフロー式に流出させるための排水口を有していて、
上記攪拌槽の容積は、上記反応凝集槽の容積より小さく形成され、また、上記反応凝集槽内には、上記越流口からこの反応凝集槽内に流入する被処理水を斜面でガイドすることによって流速を緩和する流入ガイドが設けられている、
ことを特徴とする汚濁水浄化装置。
【請求項２】
上記流入ガイドの先端が、上記反応凝集槽内の被処理水に浸漬する位置まで延びていることを特徴とする請求項１に記載の汚濁水浄化装置。
【請求項３】
上記越流口が、槽璧の上端部中央寄りの位置に制限的に設けられていることを特徴とする請求項１又は２に記載の汚濁水浄化装置。
【請求項４】
上記攪拌槽と反応凝集槽とを区画する槽璧の、上記越流口の下縁と同じ高さを占める位置に、これら両槽のうち少なくとも攪拌槽の内側に向けて延出するフローガイドが設けられていることを特徴とする請求項１から３までの何れかに記載の汚濁水浄化装置。
【請求項５】
上記反応凝集槽における上記排水口が、上記越流口が設けられている槽璧とは反対側の槽璧に、この越流口と同じ高さか又は若干低い位置を占めるように設けられていることを特徴とする請求項１から４までの何れかに記載の汚濁水浄化装置。
【請求項６】
上記添加装置と攪拌装置とが、制御装置により、攪拌槽への被処理水の流入量に応じて水質浄化物質の添加量及び／又は攪拌速度を調整可能であることを特徴とする請求項１から５までの何れかに記載の汚濁水浄化装置。
【請求項７】
上記攪拌装置が、上記攪拌槽の略中央部に鉛直に設置された回転軸と、この回転軸上の高さが異なる位置に取り付けられた複数の攪拌羽根と、上記回転軸を駆動するモーターとを有していることを特徴とする請求項１から６までの何れかに記載の汚濁水浄化装置。
【発明の詳細な説明】
【０００１】
【産業上の利用分野】
本発明は、河川や湖沼等における汚濁した水や工事現場から排出される泥水等を浄化するための汚濁水浄化装置に関するものである。
【０００２】
【従来の技術】
従来より、河川や湖沼等の水質を改善する方法として、例えば特許文献１に記載されているように、各種ネクトン、プランクトン、藻類、海草等の成分を含む天然の貝化石を細かく粉砕して得られた水質浄化物質を使用し、この水質浄化物質を所定の水域に直接散布するか、あるいは水底に浸漬させることにより、汚濁水と反応させて汚濁物質を凝集、分離する方法が知られている。しかしながら、このような方法では、粉粒状の水質浄化物質が水流によって必要以上に拡散したり、その逆に、汚濁水と局部的にしか接触できなかったりするため、十分な反応が行われにくいという欠点がある。
【０００３】
また、河川や湖沼等の汚濁水をポンプで処理槽内に取り込み、これに水質浄化物質を添加する方法もあるが、処理槽内に収容した汚濁水に単に水質浄化物質を添加するだけでは、汚濁水全体に水質浄化物質が分散しにくく、速やかな反応を期待することはできない。汚濁水を攪拌しながら水質浄化物質を添加するようにすれば、該水質浄化物質を汚濁水全体に拡散させて反応を促進させることはできるが、凝集して水と分離した汚濁物質が攪拌によって再び破壊されて被処理水中に分散するおそれがある。
【０００４】
【特許文献１】
特開平２−２６５６８５号公報
【０００５】
【発明が解決しようとする課題】
本発明の技術的課題は、天然の化石粉末からなる水質浄化物質を使用して汚濁水を速やかに効率良く浄化することができる汚濁水浄化装置を提供することにある。
【０００６】
【課題を解決するための手段】
上記課題を解決するため、本発明の汚濁水浄化装置は、オーバーフロー式の越流口を通じて相互に接続された攪拌槽及び反応凝集槽、上記攪拌槽内に汚濁した被処理水を送給するための送水装置、上記攪拌槽内の被処理水に天然の化石粉末からなる水質浄化物質を添加するための添加装置、上記攪拌槽内の被処理水を攪拌するための攪拌装置、上記反応凝集槽から浄化された被処理水をオーバーフロー式に流出させるための排水口を有していて、上記攪拌槽の容積は、上記反応凝集槽の容積より小さく形成され、また、上記反応凝集槽内には、上記越流口からこの反応凝集槽内に流入する被処理水を斜面でガイドすることによって流速を緩和する流入ガイドが設けられていることを特徴とするものである。
【０００７】
上記構成を有する浄化装置で、河川や湖沼等の汚濁水や工事現場から排出される泥水等の汚濁水を浄化するときは、この汚濁水を被処理水として送水装置で攪拌槽内に連続的に送給し、必要量の水質浄化物質を添加しながら攪拌装置で攪拌する。すると、上記水質浄化物質が被処理水中に分散して汚濁物質と反応し、一部の汚濁物質はこの攪拌槽内で凝集、沈下し、被処理水と分離される。一方、凝集途中の汚濁物質や、まだ凝集していない汚濁物質を含んだ被処理水は、越流口をオーバーフローして反応凝集槽内に流入し、この反応凝集槽内で残りの汚濁物質が凝集して沈下し、被処理水とほぼ完全に分離される。そして、浄化された被処理水は、排水口からオーバーフローして流出する。
【０００８】
かくして本発明によれば、容積の小さい攪拌槽と容積の大きい反応凝集槽とを別々に設け、容積の小さい攪拌槽内で水質浄化物質を被処理水に添加して攪拌することによりこの水質浄化物質を被処理水全体に均一に分散させたあと、この被処理水を反応凝集槽内に送り込み、容積の大きいこの反応凝集槽内で汚濁物質と水質浄化物質とを緩やかな流れの中で静かに反応させることによって汚濁物質の凝集、沈下を促進させるようにしたので、被処理水に対する水質浄化物質の均一な分散と、汚濁物質の凝集、沈下とを、容積の異なる槽を使い分けることによって非常に効率良く行うことができ、被処理水を短時間で迅速に浄化することができる。しかも、攪拌槽と反応凝集槽との間の越流口の出口に流入ガイドを設け、この流入ガイドで越流口から反応凝集槽内に流入する被処理水の流速を緩和して静かに流入させるようにしているため、被処理水の流入によって反応凝集槽内の被処理水が攪拌されることがなく、このため、凝集して水と分離した汚濁物質が再び破壊されて被処理水中に分散するといった問題を解消することができる。
【０００９】
上記流入ガイドの先端は、上記反応凝集槽内の被処理水に浸漬する位置まで延びていることが望ましく、これにより、被処理水を空中落下させることなく、より静かに反応凝集槽内に流入させることができる。
【００１０】
また、本発明においては、上記越流口が、槽璧の上端中央寄りの位置に制限的に設けられていることが望ましい。
このように、越流口を槽璧の中央寄りの一部に制限的に設けることにより、攪拌槽内の被処理水が攪拌されて渦状に回流することにより波立っていたり、槽璧の中央部と端部とで水位が異なっていても、上記越流口を通じてほぼ均等にオーバーフローさせることができ、反応凝集槽内への流入量が安定する。因に、槽璧の上端全体にわたって越流口を設けた場合には、被処理水が渦状に回流しながら波立っていたり、槽璧の中央部と端部とで水位が異なっていたりすると、越流口全体を通じて均等にオーバーフローできず、場所的あるいは時間的な流入むらが発生し、反応凝集槽内の被処理水が不規則に攪拌されてしまう恐れがある。
【００１１】
本発明において好ましくは、上記攪拌槽と反応凝集槽とを区画する槽璧の、上記越流口の下縁と同じ高さを占める位置に、これら両槽のうち少なくとも攪拌槽の内側に向けて延出するフローガイドが設けられていることである。
【００１２】
このようなフローガイドを設けることにより、越流口からオーバーフローする被処理水の流れを水平化して安定した流れにすることができる。また、攪拌槽内を槽璧に沿って上昇する被処理水の流れを上記フローガイドで該攪拌槽の内側に向けさせることができるため、攪拌が促進され、攪拌効率が向上すると同時に、槽璧に沿った被処理水の上昇流がオーバーフローの流れにぶつかってそれを乱流化するといった不都合が解消され、オーバーフロー状態が安定化する。
【００１３】
また、本発明においては、上記反応凝集槽における上記排水口が、上記越流口が設けられている槽璧とは反対側の槽璧に、この越流口と同じ高さか又は若干低い位置を占めるように設けられている。
【００１４】
さらに、本発明の好ましい構成態様によれば、上記添加装置と攪拌装置とが、制御装置により、攪拌槽への被処理水の流入量に応じて水質浄化物質の添加量及び／又は攪拌速度を調整可能となっている。
【００１５】
本発明においてはまた、上記攪拌装置が、上記攪拌槽の略中央部に鉛直に設置された回転軸と、この回転軸上の高さが異なる位置に取り付けられた複数の攪拌羽根と、上記回転軸を駆動するモーターとを有している。
【００１６】
【発明の実施の形態】
図１〜図５は本発明に係る汚濁水浄化装置の好ましい代表的な一実施形態を示すもので、この浄化装置は、軸方向に長い実質的に矩形の箱形をした浄化槽１を有し、この浄化槽１の内部が、槽璧４によって上流側の攪拌槽２と下流側の反応凝集槽３とに区画されている。
【００１７】
上記攪拌槽２は、その軸方向長さ及び横幅方向長さをそれぞれ、反応凝集槽３の軸方向長さ及び横幅方向長さより小さく形成することにより、容積が反応凝集槽３の容積より小さく形成されている。逆にいえば、上記反応凝集槽３の容積は攪拌槽２の容積より大きく形成されている。具体的な数値例としては、例えば毎分約４トン程度の処理能力を得る場合、攪拌槽２の容積は約２．５〜４ｍ３程度とし、反応凝集槽３の容積はその約２倍の５〜８ｍ３程度とすることが望ましい。
【００１８】
上記攪拌槽２は、反応凝集槽３の横幅方向一側に偏寄した状態に配置されていて、該攪拌槽２が反応凝集槽３より後退している側の側面には、ステップ５と手摺り６とが設けられ、このステップ５を利用して浄化槽１の上面に上がれるようになっている。上記攪拌槽２の上面は天板７により覆われ、反応凝集槽３の上面は開放しているが、この反応凝集槽３の上面も天板で覆うことができる。
【００１９】
上記攪拌槽２には、泥やヘドロあるいはその他の有機質又は無機質の物質で汚濁した被処理水Ｗを送給するための送水装置１０と、この攪拌槽２内に送給された被処理水Ｗに天然の化石粉末からなる水質浄化物質を添加するための添加装置１１と、水質浄化物質を添加された被処理水Ｗを攪拌するための攪拌装置１２とが設けられている。
【００２０】
上記送水装置１０は、送水ポンプ１５と、この送水ポンプ１５に接続された送水管１６とを有していて、この送水管１６の先端が攪拌槽２内に導入され、先端の送水口１６ａが該攪拌槽２内に開口している。そして、被処理水Ｗとして、河川や湖沼等における汚濁した水や工事現場から排出される泥水等を、上記送水ポンプ１５により送水管１６を通じて攪拌槽２内に連続的に送給するものである。
上記送水口１６ａが攪拌槽２内に開口する高さは、該攪拌槽２の上端近くであっても、中間位置であっても、槽底近くであっても構わない。
【００２１】
また、上記添加装置１１は、攪拌槽２の上面を覆う上記天板７上に設置されていて、水質浄化物質を収容するためのホッパー１８と、このホッパー１８の下端部に水平に配設され、回転によって該ホッパー１８内の水質浄化物質を順次送り出すスクリュー１９と、このスクリュー１９を回転させるモーター２０と、スクリュー１９で送られてきた水質浄化物質を攪拌槽２内に落下させるシュート２１とを有している。なお、上記水質浄化物質については、種々のものが既に市販されており、ここではその市販されているものを使用するため、その成分等についての具体的な説明は省略する。また、被処理水の処理量と水質浄化物質の添加量との適正な関係は、被処理水に含まれる汚濁物質の成分や汚濁度、あるいは水質浄化物質の成分等によっても異なるため、一概には言えないが、被処理水が通常の泥水であり、また水質浄化物質が「環境技研アース・クラスター株式会社」製の「モスナイト」（商品名）である場合には、被処理水１トンに対して水質浄化物質を８０〜１００ｇ程度添加することで十分な効果を得ることができ、被処理水がヘドロで汚濁したものである場合には、被処理水１トンに対して水質浄化物質を１００〜１２０ｇ程度で添加すれば十分な浄化効果を得られることが、実験により確かめられている。
【００２２】
上記攪拌装置１２は、攪拌槽２の略中央位置に鉛直に配置されて上端部を天板７に回転自在に支持された回転軸２３と、この回転軸２３上の高さが異なる位置に取り付けられた複数の攪拌羽根２４と、上記天板７上に設置されて上記回転軸２３を駆動するモーター２５とを有している。上記攪拌羽根２４は、上記回転軸２３から左右両方向に向けて水平に延出するアーム２６の先端に取り付けられていて、図示の例では、攪拌槽２のほぼ中間の高さに位置する上方の攪拌羽根２４と、攪拌槽２の底部近くに位置する下方の攪拌羽根２４との、２組の攪拌羽根２４が、互いに９０度異なる向きに設けられている。しかし、３組以上の攪拌羽根を回転軸２３の軸線回りに等角度間隔で配置することもできる。
【００２３】
この攪拌装置１２は、上記水質浄化物質が添加された被処理水Ｗを上記攪拌羽根２４で攪拌することにより、被処理水Ｗ全体に水質浄化物質を均等に分散させて汚濁物質の凝集反応を促進させるものである。この場合、攪拌槽２の容積を反応凝集槽３より小さくし、小さい槽の中で被処理水Ｗを攪拌しながら水質浄化物質を分散させるようにしているので、被処理水Ｗ全体に水質浄化物質を短時間でほぼ均等に分散させることができ、非常に効率的であると共に、その後の反応凝集槽３における凝集反応も速やかに行われることになる。
【００２４】
上記送水ポンプ１５と添加装置１１及び攪拌装置１２は、それぞれ図示しない制御装置に接続され、被処理水の送給量に応じて水質浄化物質の添加量及び攪拌速度の何れか一方又は両方を調整できるようになっている。
【００２５】
上記攪拌槽２と反応凝集槽３とを区画する上記槽璧４の上端部には、図３〜図５から分かるように、攪拌槽２内の被処理水Ｗを反応凝集槽３内にオーバーフロー式に流入させるための越流口３０が設けられている。この越流口３０は、上記槽璧４の上端中央寄りの位置に並べて設けられた２つの窓孔によって形成されている。これらの越流口３０，３０は、横に細長い矩形形状をしていて、攪拌槽２の中心軸線に対して左右対称をなす位置に、相互間に若干の間隔を保って並設されている。従ってこれらの越流口３０，３０は、反応凝集槽３の中心軸線に対しては左右対称ではなく、一側に偏寄した位置を占めることになる。
【００２６】
このように、上記越流口３０を、槽璧全体の高さを低くすることによって該槽璧４の上端全体にわたって形成することなく、該槽璧４の中央寄りの一部に窓孔の形で制限的に設けたことは、被処理水Ｗを攪拌槽２から反応凝集槽３へ安定的に流入させる上で重要な意味を持つ。即ち、槽璧の上端全体にわたって越流口３０を設けた場合には、攪拌槽２内の被処理水Ｗが攪拌により渦状に回流して波立っていたり、槽璧の端部で水流が側壁にぶつかることによって水面が盛り上がっていたりするため、越流口全体を通じて均等にオーバーフローできず、場所的又は時間的な流入むらが発生し、反応凝集槽３内の被処理水Ｗが不規則に攪拌されてしまう恐れがあるが、上述したように越流口３０を槽璧４の中央寄りの一部に制限的に設けることにより、攪拌槽２内の被処理水Ｗが攪拌されて渦状に回流することにより波立っていたり、槽璧４の端部で水位が高くなっていたとしても、上記越流口３０を通じてほぼ均等にオーバーフローさせることができ、反応凝集槽３内への流入量が安定する。
【００２７】
上記各越流口３０，３０の下縁部には、両端が攪拌槽２及び反応凝集槽３の内部に向けてほぼ水平に突出するプレート状のフローガイド３１がそれぞれ設けられ、また、上記反応凝集槽３の内部には、各越流口３０，３０の出口と対応する位置に、これらの越流口３０から該反応凝集槽３内に流入する被処理水Ｗの流速を緩和するための流入ガイド３２が、先下がり状に傾斜した状態でそれぞれ設置されている。
【００２８】
上記フローガイド３１は、越流口３０からオーバーフローする被処理水Ｗの流れを水平化して安定した流れに変えるだけでなく、攪拌槽２内を槽璧４に沿って上昇する被処理水Ｗの流れを攪拌槽２の内側に向けるための偏向板としての役目も果たすものである。このようにフローガイド３１で被処理水Ｗの流れの向きを変えることにより、該被処理水Ｗの攪拌が促進されて攪拌効率が高められるだけでなく、槽璧４に沿った被処理水Ｗの上昇流がオーバーフローの流れに直接ぶつかるのが防止されることにより、このオーバーフロー流が乱流化するのも防止される。なお、上記フローガイド３１は、少なくとも攪拌槽２側に突出していれば良く、反応凝集槽３側には必ずしも突出している必要はない。
【００２９】
一方、上記流入ガイド３２は、プレート状をしていて、上記フローガイド３１の端部に連設され、その傾斜面で被処理水Ｗの流れをガイドすることによって流速を減少させるものであり、その先端は反応凝集槽３内の被処理水Ｗの中に浸漬している。そして、この流入ガイド３２で被処理水Ｗの流速が緩和されることにより、流入する被処理水によって反応凝集槽３内の被処理水Ｗが大きく攪拌されることがなくなるため、凝集して水と分離した汚濁物質が再び破壊されて被処理水Ｗ中に分散するといった問題が解消される。この場合特に、上記流入ガイド３２の先端を被処理水Ｗ中に浸漬させておくことにより、被処理水の空中落下に伴う攪拌や波立ちを確実に防ぐことができる。
【００３０】
なお、図示した実施例では、上記フローガイド３１及び流入ガイド３２が何れも、各越流口３０と対応する位置に個別に設けられているが、槽璧４の２つの越流口３０が形成されている部分に、これらの越流口３０を跨ぐ長さのものを部分的に設けても良く、あるいは、槽璧全体にわたる長さのものを設けても良い。また、上記越流口３０は、必ずしも２つである必要はなく、１つであっても、３つ以上であっても良い。
【００３１】
また、上記攪拌装置１２の能力と攪拌槽２の容積との関係で、攪拌槽２内において被処理水Ｗの回流速度や波立ち等の度合いが小さい場合には、上記越流口３０を、槽璧４の高さを全体的に低くすることによって該槽璧４の上端全体にわたって形成することも可能である。この場合、攪拌槽２内において被処理水Ｗの波立ち等が多少あっても、上記フローガイド３１の働きによってオーバーフローの流れが安定化し、また、流入ガイド３２の働きで反応凝集槽３内に流入する被処理水Ｗの流速が緩和される。
【００３２】
上記反応凝集槽３は、浄化した被処理水Ｗを流出させるためのオーバーフロー式の排水口３４を備えている。この排水口３４は、円形又は矩形の筒状をしていて、上記越流口３０が設けられている槽璧４とは反対側の槽璧３５の上方寄りの位置に、上記越流口３０と同じ高さか又は若干低い位置を占めるように設けられている。
【００３３】
また、上記攪拌槽２及び反応凝集槽３の底部に近い適宜位置には、バルブで開閉自在のドレン排出口３６，３７がそれぞれ設けられ、これらのドレン排出口３６，３７から、運転終了時に各槽２，３内に残った被処理水Ｗを排出したり、槽底に溜った汚濁物質を排出したりすることができるようになっている。
【００３４】
上記構成を有する浄化装置で、河川や湖沼等の汚濁水や工事現場から排出される泥水等の汚濁水を浄化するときは、この汚濁水を被処理水Ｗとして送水装置１０で攪拌槽２内に連続的に送給し、添加装置１１から必要量の水質浄化物質を添加しながら攪拌装置１２で攪拌する。すると、上記水質浄化物質が被処理水Ｗ中に分散して汚濁物質と反応し、一部の汚濁物質はこの攪拌槽２内で凝集して沈下し、被処理水Ｗと分離される。一方、凝集途中の汚濁物質や、まだ凝集していない汚濁物質を含んだ被処理水Ｗは、越流口３０をオーバーフローして反応凝集槽３内に流入し、この反応凝集槽３内で残りの汚濁物質が凝集して沈下し、被処理水とほぼ完全に分離される。そして、浄化された被処理水Ｗは、排水口３４からオーバーフローして流出する。
【００３５】
なお、上記実施例の浄化装置は、反応凝集槽３を１つだけ備えているが、複数の反応凝集槽で段階的に凝集反応を生じさせる必要がある場合は、例えば図３に鎖線で示すように、被処理水の流入口と排出口とを備えた一つ又は複数の反応凝集槽３ａを別に用意し、これらの反応凝集槽３ａを上記浄化槽１における反応凝集槽３の排出口３４に直列に接続すれば良い。この場合、隣接する反応凝集槽間においては、相互に接続される排出口と流入口とが被処理水用の越流口となる。
また、上記反応凝集槽３ａの容積は、上記反応凝集槽３より大きくても小さくても良いが、望ましくはこの反応凝集槽３と同等以上の容積を有することである。
さらに、上記反応凝集槽３ａの内部は、オーバーフロー式の越流口を上部に備えた槽璧で複数の槽部分に仕切られていても良い。
【００３６】
あるいは、このように反応凝集槽３ａを別に形成して接続することなく、上記実施例における浄化槽１の内部に、複数の反応凝集槽３を直列に区画したものであっても良い。
なお、隣接する反応凝集槽間の越流口には、上記攪拌槽２と反応凝集槽３との間にあるようなフローガイド３１や流入ガイド３２は、必ずしも設ける必要はない。
【００３７】
【発明の効果】
以上に詳述したように、本発明の汚濁水浄化装置によれば、容積の小さい攪拌槽と容積の大きい反応凝集槽とを別々に設け、容積の小さい攪拌槽内で水質浄化物質を被処理水に添加して攪拌することによりこの水質浄化物質を被処理水全体に均一に分散させたあと、この被処理水を反応凝集槽内に送り込み、容積の大きいこの反応凝集槽内で汚濁物質と水質浄化物質とを緩やかな流れの中で静かに反応させることによって汚濁物質の凝集、沈下を促進させるようにしたので、被処理水に対する水質浄化物質の均一な分散と、汚濁物質の凝集、沈下とを、容積の異なる槽を使い分けることによって非常に効率良く行うことができ、被処理水を短時間で迅速に浄化することができる。
しかも、攪拌槽と反応凝集槽との間の越流口の出口に流入ガイドを設け、この流入ガイドで越流口から反応凝集槽内に流入する被処理水の流速を緩和して静かに流入させるようにしているため、被処理水の流入によって反応凝集槽内の被処理水が攪拌されることがなく、このため、凝集して水と分離した汚濁物質が再び破壊されて被処理水中に分散するといった問題を解消することができる。
【図面の簡単な説明】
【図１】本発明に係る汚濁水浄化装置の一実施形態を示す側面図である。
【図２】図１の平面図である。
【図３】図２における  ＩＩＩ−ＩＩＩ  線での断面図である。
【図４】図３におけるＩＶ−ＩＶ線での断面図である。
【図５】浄化槽の横断平面図である。
【符号の説明】
Ｗ      被処理水
２      攪拌槽
３，３ａ      反応凝集槽
４，３５      槽璧
１０      送水装置
１１      添加装置
１２      攪拌装置
２３      回転軸
２４      攪拌羽根
２５      モーター
３０      越流口
３１      フローガイド
３２      流入ガイド
３４      排出口
【図１】
2004188295.tif 000003
【図２】
2004188295.tif 000004
【図３】
2004188295.tif 000005
【図４】
2004188295.tif 000006
【図５】
2004188295.tif 000007